(57)【要約】【課題】  充填時に高圧ガスが出力ラインを逆流してフィルタに捕捉されたコンタミがタンク側へと戻ることを抑える高圧ガス充填・出力システムを提供する。【解決手段】  高圧ガス充填・出力システム１は、出力ライン２１と充填ライン２２とを備えている。出力ライン２１は、高圧ガスが充填される高圧タンク２と外部接続ポート２０とに接続され、充填ライン２２は、高圧タンク２に接続され、出力ライン２１と合流している。充填ライン２２には、高圧タンク２内へと流れる高圧ガスの流れを許容し、高圧タンク２から流出する高圧ガスの流れを阻止する充填側逆止弁１５が介在している。また、出力ライン２１には、高圧タンク２側から順に出力側フィルタ１３と、電磁弁１４と、出力側逆止弁１５とが介在している。電磁弁１４は、出力ライン２１を開閉可能に構成されており、出力側逆止弁１５は、高圧タンク２から流れる高圧ガスの流れを許容し、高圧タンク２に流入する高圧ガスの流れを阻止するようになっている。【選択図】      図１
2013053659.tif 000002
【特許請求の範囲】
【請求項１】
高圧ガスが充填されるタンクと外部接続ポートとに接続される出力ラインと、
前記タンクに接続され、前記出力ラインと合流している充填ラインと、
前記充填ラインに介在し、前記タンク内へと流入する高圧ガスの流れを許容し、前記タンクから流出する高圧ガスの流れを阻止する充填側逆止弁と、
前記出力ラインにおいて前記充填ラインとの合流点より前記タンク側に介在し、高圧ガスに含まれる異物を捕捉するフィルタと、
前記出力ラインにおいて前記充填ラインとの合流点と前記フィルタとの間に介在し、前記出力ラインを開閉する開閉弁と、
前記出力ラインにおいて前記合流点と前記フィルタとの間に介在し、前記タンクから流出する高圧ガスの流れを許容し、前記タンク内に流入する高圧ガスの流れを阻止する出力側逆止弁とを備える、高圧ガス充填・出力システム。
【請求項２】
前記出力側逆止弁は、前記出力ラインにおいて前記開閉弁と前記合流点との間に位置している、請求項１に記載の高圧ガス充填・出力システム。
【請求項３】
前記出力側逆止弁は、前記開閉弁に組み込まれている、請求項２に記載の高圧ガス充填・出力システム。
【発明の詳細な説明】
【技術分野】
【０００１】
本発明は、高圧ガスをタンクに充填し、またタンク内に充填された高圧ガスを出力するための高圧ガス充填・出力システムに関する。
【背景技術】
【０００２】
燃料電池自動車やガスエンジン自動車では、圧縮水素や圧縮天然ガス等の燃料ガスが使用されており、燃料ガスが高圧タンクに貯蔵されるようになっている。高圧タンクには、高圧ガス充填・出力システムが設けられており、この高圧ガス充填・出力システムによって燃料ガスが高圧タンクに充填され、また充填した燃料ガスが燃料電池スタックやガスエンジンに出力されるようになっている。このような高圧ガス充填・出力システムとして、例えば特許文献１のようなシステムが知られている。
【０００３】
特許文献１に記載のシステムは、高圧タンクに接続されている出力ラインと充填ラインとを備えている。出力ラインには、高圧タンク側から順に出力側フィルタ及び電磁弁が介在しており、また充填ラインには、高圧タンク側から順に逆止弁及び充填側フィルタが介在している。また、特許文献１に記載のシステムでは、これら出力ラインと充填ラインとが合流しており、外部接続ポートが１つになっている。
【先行技術文献】
【特許文献】
【０００４】
【特許文献１】特開２００９−１６８１６５号公報
【発明の概要】
【発明が解決しようとする課題】
【０００５】
特許文献１に記載のシステムでは、電磁弁によって出力ラインを開くと、高圧タンク内の高圧ガスが出力ラインを通って外部接続ポートから出力される。また、電磁弁によって出力ラインを閉じた状態で外部接続ポートから高圧ガスが注入されると、高圧ガスが充填ラインを通って高圧タンク内に充填されるようになっている。しかし、充填する際、外部接続ポートから入れられた高圧ガスは、充填ラインだけでなく出力ラインにも流れる。これにより、電磁弁の合流点側の圧力がタンク側の圧力より高くなり、出力ラインが強制的に開かれて充填ガスが出力ラインをタンク側へと逆流する。そうすると、高圧ガスの出力時に出力側フィルタで捕捉したコンタミが高圧ガスタンク側へと離脱してフィルタエレメントを損傷させることがある。また、フィルタエレメントを損傷させることで、新たなコンタミが発生する。
【０００６】
そこで本発明は、充填時に高圧ガスが出力ラインを逆流することを防ぎ、またフィルタに捕捉されたコンタミ（異物）がタンク側へと戻ることを抑えることができる高圧ガス充填・出力システムを提供することを目的としている。
【課題を解決するための手段】
【０００７】
本発明の高圧ガス充填・出力システムは、高圧ガスが充填されるタンクと外部接続ポートとに接続される出力ラインと、前記タンクに接続され、前記出力ラインと合流している充填ラインと、前記充填ラインに介在し、前記タンク内へと流入する高圧ガスの流れを許容し、前記タンクから流出する高圧ガスの流れを阻止する充填側逆止弁と、前記出力ラインにおいて前記充填ラインとの合流点より前記タンク側に介在し、高圧ガスに含まれる異物を捕捉するフィルタと、前記出力ラインにおいて前記充填ラインとの合流点と前記フィルタとの間に介在し、前記出力ラインを開閉する開閉弁と、前記出力ラインにおいて前記合流点と前記フィルタとの間に介在し、前記タンクから流出する高圧ガスの流れを許容し、前記タンク内に流入する高圧ガスの流れを阻止する出力側逆止弁とを備えるものである。
【０００８】
本発明に従えば、開閉弁により出力ラインを開くと、タンクに充填された高圧ガスがフィルタ及び出力側逆止弁を通り、外部接続ポートを介して出力することができる。この際、高圧ガスがフィルタを通っているので、タンク内の高圧ガスに含まれる異物をフィルタによって捕捉させることができる。
【０００９】
また、本発明では、外部接続ポートに高圧ガスを注入すると、注入された高圧ガスを充填側逆止弁を通ってタンクに導くことができ、高圧タンクにガスを充填することができる。他方、出力ラインでは、タンク内への逆流する高圧ガスの流れが出力側逆止弁により止められているので、高圧ガスが出力ラインを逆流してフィルタに達することを防ぐことができる。これにより、出力時にフィルタに捕捉された異物がタンク側へと戻ることを抑えることができる。
【００１０】
上記発明において、前記出力側逆止弁は、前記出力ラインにおいて前記開閉弁と前記合流点との間に位置していることが好ましい。
【００１１】
上記構成に従えば、充填時に高圧ガスが開閉弁に逆流することを防ぐことができる。これにより、充填する高圧ガスによって開閉弁の出力側が高圧になり、開閉弁が開動作することを防ぐことができ、開閉弁の耐用年数を向上させることができる。
【００１２】
上記発明において、前記出力側逆止弁は、前記開閉弁に組み込まれていることが好ましい。
【００１３】
上記構成に従えば、高圧ガス充填・出力システム全体の小形化を図ることができる。また、開閉弁と出力側逆止弁との間の通路を短くすることができる。これにより、出力ラインの圧力損失を低減することができ、また開閉弁の開閉動作に対する出力側逆止弁の応答性を向上させることができる。
【発明の効果】
【００１４】
本発明によれば、充填する際に高圧ガスが出力ラインを逆流し、フィルタに捕捉されたコンタミ（異物）がタンク側へと戻ることを抑えることができる。
【図面の簡単な説明】
【００１５】
【図１】本発明の第１実施形態に係る高圧ガス充填・出力システムの構成を示す回路図である。
【図２】図１の高圧ガス充填・出力システムに備わる双方向クローズ形電磁弁装置を示す断面図である。
【図３】本発明の第２実施形態に係る高圧ガス充填・出力システムの構成を示す回路図である。
【図４】本発明の第３実施形態に係る高圧ガス充填・出力システムの構成を示す回路図である。
【図５】本発明の第４実施形態に係る高圧ガス充填・出力システムの構成を示す回路図である。
【図６】本発明の第５実施形態に係る高圧ガス充填・出力システムの構成を示す回路図である。
【発明を実施するための形態】
【００１６】
以下では、前述する図面を参照しながら、本発明の第１乃至５実施形態に係る高圧ガス充填・出力システム（以下、単に「システム」ともいう）１，１Ａ〜１Ｄについて説明する。なお、実施形態における上下等の方向の概念は、説明の便宜上使用するものであって、システム１，１Ａ〜１Ｄに関して、それらの構成の配置及び向き等をその方向に限定することを示唆するものではない。また、以下に説明するシステム１，１Ａ〜１Ｄは、本発明の一実施形態に過ぎず、本発明は実施の形態に限定されず、発明の趣旨を逸脱しない範囲で追加、削除、変更が可能である。
【００１７】
［第１実施形態］
システム１は、例えば圧縮天然ガス自動車、水素ガス自動車、及び燃料電池車等の車両に備わっている。圧縮天然ガス自動車及び水素ガス自動車は、ガスエンジンを有しており、このガスエンジンにて燃料ガス（圧縮天然ガス（ＣＮＧ）や水素ガス等）を燃焼することによって駆動力を得て駆動輪を動かすようになっている。また、燃料電池自動車は、燃料電池スタックを有しており、この燃料電池スタックでは、燃料ガスを消費して発電し、発電した電力をモータに与えて駆動力を発生させるようになっている。ガスエンジンや燃料電池スタック等のように燃料ガスを消費して駆動力を発生させる燃料ガス消費器（図示せず）は、システム１を介して高圧タンク２に接続されている。高圧タンク２は、例えば３５〜７０ＭＰａ、又はそれ以上の高圧の燃料ガスを貯蔵することができるようになっており、システム１は、高圧タンク２に高圧ガスを充填し、またそこに貯蔵されている燃料ガスを燃料ガス消費器に出力するようになっている。以下では、システム１の構成について説明する。
【００１８】
＜高圧ガス充填・出力システム＞
システム１は、図１に示すように、バルブブロック１１を備えており、このバルブブロック１１には、充填側逆止弁１２と、出力側フィルタ１３と、電磁弁１４と、出力側逆止弁１５とが形成されている。バルブブロック１１は、高圧タンク２の開口部に螺合されており、そこには高圧ガスを充填するための充填口と燃料ガス消費器とに繋がる外部接続ポート２０が形成されている。また、バルブブロック１１の内部には、この外部接続ポート２０と高圧タンク２内とを繋ぐ出力ライン２１が形成され、更にこの出力ライン２１とは別に充填ライン２２がバルブブロック１１の内部に形成されている。充填ライン２２の一端は、高圧タンク２内と接続され、また他端が出力ライン２１に合流している。これにより、充填ライン２２は、出力ライン２１を介して外部接続ポート２０に接続されている。
【００１９】
このように構成される充填ライン２２には、充填側逆止弁１２が介在している。充填側逆止弁１２は、充填ライン２２と出力ライン２１との合流点２３から充填ライン２２を通って高圧タンク２に流れる高圧ガスの流れを許容し、その逆方向、つまり高圧タンク２から充填ライン２２を通って合流点２３に流れる高圧ガスの流れを阻止するようになっている。他方、出力ライン２１には、合流点２３より高圧タンク２側に出力側フィルタ１３が介在している。
【００２０】
出力側フィルタ１３は、スポンジ状又は網目状に構成されており、高圧ガスに含まれるコンタミを捕捉するようになっている。なお、この出力側フィルタ１３と同様に、合流点２３から充填ライン２２を通って高圧タンク２に流れる高圧ガスに含まれるコンタミを捕捉するための充填側フィルタを合流点２３と充填側逆止弁１２との間に設けてもよい。また、出力ライン２１において、出力側フィルタ１３と合流点２３との間には、電磁弁１４が介在している。
【００２１】
電磁弁１４は、電流（又は電圧）の印加の有無に応じて出力ライン２１を開閉するようになっている。この電磁弁１４には、出力側逆止弁１５が一体的に組み付けられている。出力側逆止弁１５は、高圧タンク２から出力ライン２１を通って外部接続ポート２０に流れる高圧ガスの流れを許容し、その逆方向、つまり外部接続ポート２０から出力ライン２１を通って高圧タンク２に流れる高圧ガスの流れを阻止するようになっている。この出力側逆止弁１５は、電磁弁１４と共に双方向ノーマルクローズ形電磁弁装置（以下、単に「弁装置」ともいう）１６を構成している。このように電磁弁１４に出力側逆止弁１５を一体的に組み付けて弁装置１６を構成することで、システム１の小形化を図ることができる。また、電磁弁１４と出力側逆止弁１５とを繋ぐ通路（後述する弁孔３２aに相当）を短くすることができ、出力ライン２１の圧力損失を低減し、また電磁弁１４の開閉動作に対する出力側逆止弁１５の応答性を向上させることができる。以下では、弁装置１６の構成について、図２を参照しながら説明する。
【００２２】
＜双方向ノーマルクローズ形電磁弁装置＞
弁装置１６は、ハウジング３１と、シート部材３２と、主弁体３３と、パイロット弁体３４と、電磁ソレノイド３５と、逆止用弁体３６と、逆止弁側ばね部材３７とを備えている。弁装置１６では、ハウジング３１と、シート部材３２と、主弁体３３と、パイロット弁体３４と、電磁ソレノイド３５によって電磁弁１４が構成され、ハウジング３１と、シート部材３２と、逆止用弁体３６と、逆止弁側ばね部材３７によって出力側逆止弁１５が構成されている。つまり、出力側逆止弁１５は、シート部材３２を電磁弁１４と共用することで電磁弁１４に組みつけられている。以下では、まず、電磁弁１４の構成及び動作について説明する。
【００２３】
＜電磁弁＞
電磁弁１４に備わるハウジング３１は、バルブブロック１１の一部であり、流入ポート３１ａと流出ポート３１ｂとが形成されている。流入ポート３１ａは、高圧タンク２内に繋がり、また流出ポート３１ｂは、合流点２３を介して外部接続ポート２０に繋がっている。また、ハウジング３１には、軸線Ｌ１に沿って延在する弁体孔３１ｃが形成されており、２つのポート３１ａ，３１ｂは、流入通路３１ｄ及び流出通路３１ｅを介して弁体孔３１ｃに夫々繋がっている。
【００２４】
弁体孔３１ｃは、大略断面円形状に形成されており、この弁体孔３１ｃを規定するハウジング３１の内周部の中間部分には、シート部材３２がシールされた状態で嵌合されている。また、前記中間部分には、段差３１ｆが形成されており、この段差３１ｆにより弁体孔３１ｃの開口側部分（図２の上側部分）の孔径がその底側部分（図２の下側部分）の孔径に比べて大きくなっている。シート部材３２は、この段差３１ｆの上側に位置してその下端を段差３１ｆに当接させて支持させている。このように支持されているシート部材３２は、大略円筒状になっており、その軸線に沿って延在する弁孔３２ａを有している。シート部材３２の一端部には、弁孔３２ａの一方の開口を外囲する円環状の突起片４１が形成されており、この突起片４１に対向するように弁体孔３１ｃのシート部材３２より上側に主弁体３３が挿入されている。
【００２５】
主弁体３３は、大略有底円筒状に形成されており、その底部を突起片４１に着座させて弁孔３２ａを塞ぐ閉位置と、突起片４１から離れて弁孔３２ａを開く開位置との間で軸線方向に移動可能にハウジング３１内に設けられている。また、主弁体３３は、その底部側の外周部が開口端側の外周部より小径になっており、その外周部とハウジング３１の内周部との間には、円環状の弁空間４３が形成されている。この弁空間４３は、流入通路３１ｄと繋がっており、また主弁体３３が開位置に位置する際、突起片４１と主弁体３３の底部との間に形成されるオリフィス（図示せず）を介して弁孔３２ａと繋がるようになっている。なお、弁孔３２ａ、弁空間４３、及び流入通路３１ｄによって弁通路３８の電磁弁側部分が構成されている。
【００２６】
また、主弁体３３の基端側部分の外周部には、その軸線方向に延在する溝（図示せず）が形成されており、この溝によって弁空間４３が主弁体３３内にある内孔３３ｂに繋がっている。更に、主弁体３３の底部には、連通路３３ａが形成されている。連通路３３ａは、主弁体３３の内外を連通するように主弁体３３の軸線に沿って延在しており、この連通路３３ａによって、主弁体３３が閉位置に位置する際であっても主弁体３３の内孔３３ｂが弁孔３２ａに接続できるようになっている。また、主弁体３３の内孔３３ｂには、パイロット弁体３４の先端側部分が軸線方向に相対移動可能に挿入されている。
【００２７】
パイロット弁体３４は、大略円筒状に形成されており、その先端にテーパ部３４ａを有している。テーパ部３４ａは、主弁体３３に向かって突起するテーパ状になっており、連通路３３ａの内側の開口（つまり、上側の開口）の周りに形成されている座部３３ｃに着座して連通路３３ａを閉じるようになっている。また、パイロット弁体３４の先端側部分には、その半径方向に延在する貫通孔３４ｂが形成されており、この貫通孔３４ｂには、連結ピン４４が挿通されている。連結ピン４４は、パイロット弁体３４の半径方向に延在しており、その両端部が主弁体３３に嵌合されて固定されている。これにより、主弁体３３とパイロット弁体３４とは、連結ピン４４によって連結されている。
【００２８】
また、連結ピン４４は、貫通孔３４ｂよりも小径に形成されており、パイロット弁体３４は、主弁体３３に対して軸線方向に相対移動することができるようになっている。これにより、パイロット弁体３４が主弁体３３に対して上側に相対移動して、テーパ部３４ａが座部３３ｃから離脱して連通路３３ａが開くようになっている。このように構成されているパイロット弁体３４の残余部は、先端側部分より大径に形成されており、その基端側部分がハウジング３１からとび出ている。そして、このとび出た基端側部分の外周部には、電磁ソレノイド３５が外装されている。
【００２９】
電磁ソレノイド３５は、パイロット弁体３４に励磁力（駆動力）を与えて、パイロット弁体３４を開位置方向（図２の上方向）に引張るようになっており、ハウジング３１に固定されている。更に詳細に説明すると、電磁ソレノイド３５は、ソレノイドケース５１と、ボビン５２と、コイル線５３と、ガイド部材５４と、固定磁極５５とを備えている。ソレノイドケース５１は、大略円筒状に形成されており、その一方の開口が弁体孔３１ｃに繋がるようにハウジング３１に固定されている。また、ソレノイドケース５１の両側の開口部には、その半径方向内方に延在する内向きフランジ５１ａ，５１ｂが周方向全周にわたって形成されている。この内向きフランジ５１ａ，５１ｂの間には、大略円筒状のコイル収納空間５１ｃが形成されており、このコイル収納空間５１ｃにボビン５２が収納されている。ボビン５２は、大略円筒状に形成されており、その外周面には、コイル線５３が巻き付けられている。コイル線５３は、図示しない制御器に電気的に接続されている。また、ボビン５２の内周部には、パイロット弁体３４の基端部分が内挿されており、このパイロット弁体３４の基端部分とボビン５２の内周部との間には、ガイド部材５４が介在している。
【００３０】
ガイド部材５４は、大略円筒状の部材である。ガイド部材５４の一端側は、ソレノイドケース５１の一方の開口部からとび出して弁体孔３１ｃまで延在しており、その中に挿入されているパイロット弁体３４は、このガイド部材５４内を軸線方向に移動できるようになっている。また、ソレノイドケース５１の他方の開口部には、固定磁極５５が嵌挿されている。固定磁極５５は、磁性材料から成る大略円板状の部材であり、ソレノイドケース５１の他方の開口を塞ぐように他方の開口部に固定されている。この固定磁極５５は、パイロット弁体３４の基端と対向しており、パイロット弁体３４と固定磁極５５との間には、電磁弁側ばね部材５６が介在している。電磁弁側ばね部材５６は、パイロット弁体３４を介して主弁体３３を閉位置方向に付勢している。
【００３１】
このように構成される電磁弁１４は、制御器によりコイル線５３に電流を印加すると、パイロット弁体３４が励磁されて固定磁極５５に吸引され、上側（つまり、固定磁極５５側）に移動する。即ち、コイル線５３に電流を印加することで、電磁弁側ばね部材５６の付勢力に抗した励磁力を発生させて、パイロット弁体３４を固定磁極５５側に移動する。この際、主弁体３３の内孔３３ｂの内圧に対して弁孔３２ａの内圧が低く、主弁体３３は圧力により突起片４１に押し付けられているため、主弁体３３に対して相対移動可能なパイロット弁体３４だけが固定磁極５５側へと移動する。移動することで、パイロット弁体３４のテーパ部３４ａが座部３３ｃから離れて連通路３３ａが開く。これにより、弁空間４３、主弁体３３の外周部の溝、主弁体３３の内孔３３ｂ及び連通路３３ａを介して流入通路３１ｄと弁孔３２ａとが繋がり、弁孔３２ａに高圧タンク２からの高圧ガスが導かれてそこの内圧が上昇する。
【００３２】
パイロット弁体３４が固定磁極５５側に更に移動すると、パイロット弁体３４が連結ピン４４に当り、この連結ピン４４を介して主弁体３３を開位置方向へと引張る。この際、弁孔３２ａの内圧が上昇してるため、小さな励磁力により主弁体３３を引張ることができる。開位置方向に引張られることで、主弁体３３が突起片４１から離れて弁孔３２ａの一方の開口が開かれる、つまり弁通路３８の電磁弁側部分が開かれる。これにより、流入ポート３１ａを介して高圧タンク２から導かれている高圧ガスが流入通路３１ｄ及び弁空間４３を通って弁孔３２ａへと流れる。
【００３３】
他方、コイル線５３に印加する電流を止めると、電磁弁側ばね部材５６によって付勢されているため、パイロット弁体３４が下側（つまり、シート部材３２側）に移動し、それに伴って主弁体３３が閉位置方向に移動する。やがて主弁体３３が突起片４１に着座し、またパイロット弁体３４が座部３３ｃに着座し、弁孔３２ａの一方の開口及び連通路３３ａが閉じられる。つまり、弁通路３８の電磁弁側部分が閉じられる。このように、弁孔３２ａの一方の開口は、電磁ソレノイド３５への電流の印加の有無に応じて開閉されるようになっている。このように開閉される一方の開口とは反対側にある弁孔３２ａの他方の開口付近には、出力側逆止弁１５が設けられており、この出力側逆止弁１５の逆止用弁体３６によって弁孔３２ａの他方の開口を塞ぐことができるようになっている。以下では、出力側逆止弁１５の構成及び動作について詳述する。
【００３４】
＜出力側逆止弁＞
出力側逆止弁１５の逆止用弁体３６は、大略的に有底筒状になっており、底部の側面部分がテーパ状になっている。弁孔３２ａの他方の開口の周りには、弁座３２ｂが形成されており、逆止用弁体３６の底部３６ａは、その側面部分を弁座３２ｂに着座させて弁孔３２ａの他方の開口を塞ぐ遮断位置と弁座３２ｂから離れて弁孔３２ａを開く許容位置との間を移動できるように弁体孔３１ｃに挿入されてハウジング３１内に設けられている。
【００３５】
また、逆止用弁体３６の底部側部分は、開口端側の部分より小径に形成されており、底部側部分の周りには、円筒状の弁空間６１が形成されている。この弁空間６１は、逆止用弁体３６が許容位置に位置する際に弁孔３２ａに繋がるようになっている。また、弁空間６１は、逆止用弁体３６内部に形成される連通路６２に繋がっており、この連通路６２は、逆止用弁体３６の内孔３６ｂに繋がっている。内孔３６ｂは、弁体孔３１ｃを介して流出通路３１ｅに繋がっている。つまり、弁空間６１は、連通路６２及び内孔３６ｂを介して流出通路３１ｅに繋がっており、弁孔３２ａと、弁空間６１と、連通路６２と、内孔３６ｂと、流出通路３１ｅとによって弁通路３８の逆止弁側部分が構成されている。また、逆止用弁体３６の内孔３６ｂには、逆止弁側ばね部材３７が収容されており、この逆止弁側ばね部材３７は、逆止用弁体３６を遮断位置に向かって付勢している。
【００３６】
このように構成されている出力側逆止弁１５は、逆止弁側ばね部材３７の付勢力に抗する作用力をシート部材３２の弁孔３２ａに導かれる高圧ガス（弁通路３８の上流側のガス）から受けるようになっている。そのため、弁孔３２ａの内圧が上昇して前記作用力が逆止弁側ばね部材３７の付勢力より大きくなると、逆止用弁体３６が弁座３２ｂから離れて許容位置に移動して弁孔３２ａの他方の開口が開く、つまり弁通路３８の逆止弁側部分が開く。これにより、弁孔３２ａに導かれた高圧ガスが弁空間６１及び内孔３６ｂを通って流出通路３１ｅに導かれる。つまり、電磁弁１４に電流を印加することで弁通路３８全体が開かれ、高圧タンク２の高圧ガスが弁通路３８を通って外部接続ポート２０に導かれる。
【００３７】
また、高圧ガスを充填する際、高圧ガスが外部接続ポート２０から流出通路３１ｅに導かれて内孔３６ｂの内圧が弁孔３２ａの内圧より高くなる。この内孔３６ｂの内圧は、遮断位置に向かう方向の作用力を逆止用弁体３６に与えており、内孔３６ｂの内圧が弁孔３２ａの内圧より高くなると、逆止用弁体３６が遮断位置に移動し、弁座３２ｂに着座して弁孔３２ａを閉じるようになっている。それ故、充填時に流出通路３１ｅに導かれた高圧ガスが弁孔３２ａへ逆流することを防ぐことができ、逆流した高圧ガスが更に主弁体３３を開位置へと押して弁通路３８を開いて流入ポート３１ａに逆流するということを防ぐことができる。つまり、充填時に高圧ガスが出力ライン２１を逆流することを防ぐことができる。
【００３８】
このように弁装置１６は、電磁ソレノイド３５に電流が印加されていないノーマル状態において流入ポート３１ａから流出ポート３１ｂへの方向及び流出ポート３１ｂから流入ポート３１ａへの方向の双方向の流れを阻止することができる。他方、電磁ソレノイド３５に電流が印加されると、弁装置１６は、流入ポート３１ａから流出ポート３１ｂへの方向の流れを許容し、流出ポート３１ｂから流入ポート３１ａへの方向の逆流を阻止するようになっている。このような弁装置１６を用いたシステム１では、以下のように動作する。
【００３９】
＜高圧ガス充填・出力システムの動作について＞
システム１では、制御器が電磁弁１４に電流を印加することで弁装置１６の弁通路３８が開かれる。これにより、出力ライン２１における弁装置１６の前後が繋がり、出力ライン２１が開く。出力ライン２１が開くことで高圧タンク２に貯蔵された高圧ガスは、出力側フィルタ１３を通って外部接続ポート２０に導かれ、更にこの外部接続ポート２０を介して燃料消費器へと出力されて燃料消費器で消費される。このように、高圧ガスを出力側フィルタ１３に通すことで高圧ガスに含まれるコンタミを捕捉し、コンタミが燃料消費器まで達することを防ぐことができる。なお、充填ライン２２には充填側逆止弁１２が介在しているので、充填ライン２２から高圧ガスが出力されないようになっている。
【００４０】
他方、充填口に高圧ガスが供給されると、その高圧ガスが外部接続ポート２０を介して充填ライン２２及び出力ライン２１に導かれる。充填ライン２２に導かれた高圧ガスは、充填側逆止弁１２を作動させて充填ライン２２を開き、高圧タンク２に流れる。これにより、高圧タンク２に高圧ガスが充填される。他方、出力ライン２１に導かれる高圧ガスは、出力側逆止弁１５の流出ポート３１ｂに導かれ、逆止用弁体３６を遮断位置に保持する。これにより、電磁弁１４の手前で弁通路３８を閉じることができ、充填時に高圧ガスが電磁弁１４に逆流することを防ぐことができる。つまり、充填時に電磁弁１４の出力側である弁孔３２ａが高圧になって主弁体３３を強制的に移動させられることを防ぐことができ、電磁弁１４の耐用年数を向上させることができる。
【００４１】
また、弁通路３８が閉じられることにより出力ライン２１が閉じられ、出力ライン２１を高圧タンク２の方へと逆流する高圧ガスの流れを阻止することができる。これにより、高圧ガスが出力ライン２１を逆流して出力側フィルタ１３に達し、出力側フィルタ１３に捕捉されたコンタミが脱落してタンク側へと戻ることを抑えることができる。これにより、捕捉されたコンタミの脱落によって出力側フィルタ１３が損傷して更なるコンタミが生じることや、脱落して新たに生じたコンタミによって高圧タンク２が損傷することを抑えることができる。
【００４２】
［第２実施形態］
第２実施形態のシステム１Ａは、第１実施形態のシステム１と構成が類似している。そこで、第２実施形態のシステム１における構成については、異なる点だけを説明し、同一の点の説明については省略する。以下に説明する第３乃至第５実施形態のシステム１Ｂ〜１Ｄについても同様である。
【００４３】
第２実施形態のシステム１Ａでは、電磁弁１４より合流点２３側に位置する出力側逆止弁１５Ａが電磁弁１４に組みつけられておらず、シート部材３２を共用することなく別々にバルブブロック１１Ａに設けられている。このように構成されている第２実施形態のシステム１Ａは、第１実施形態のシステム１と同様の作用効果を奏する。
【００４４】
［第３実施形態］
第３実施形態のシステム１Ｂでは、外部接続ポート２０Ｂが燃料消費器だけに接続され、この外部接続ポート２０Ｂとは別に充填口に接続される充填口接続ポート７０がバルブブロック１１Ｂに形成されている。この充填口接続ポート７０は、充填ライン２２Ｂと接続されており、充填口に供給された高圧ガスは、充填口接続ポート７０を介して充填ライン２２Ｂ及び出力ライン２１へと導かれるようになっている。このように構成されている第２実施形態のシステム１Ｂは、第１実施形態のシステム１と同様の作用効果を奏する。
【００４５】
［第４実施形態］
第４実施形態のシステム１Ｃでは、第３実施形態のシステム１Ｂと同様に充填口接続ポート７０がバルブブロック１１Ｃに形成され、充填口接続ポート７０が充填ライン２２Ｃに接続されている。更に、システム１Ｃでは、第２実施形態のシステム１Ａと同様、電磁弁１４より合流点２３側に位置する出力側逆止弁１５Ｃが電磁弁１４に組み付けられておらず、シート部材３２を共用することなく別々にバルブブロック１１Ａに設けられている。このように構成されている第４実施形態のシステム１Ｃは、第１実施形態のシステム１と同様の作用効果を奏する。
【００４６】
［第５実施形態］
第５実施形態のシステム１Ｄでは、第２実施形態のシステム１Ａと同様に出力側逆止弁１５Ｄが電磁弁１４に組み付けられていない。また、出力側逆止弁１５Ｄは、バルブブロック１１Ｄにおいて電磁弁１４と出力側フィルタ１３との間に設けられており、充填時に主弁体３３を開いて弁通路３８を逆流する高圧ガスの流れを流入ポート３１ａより出力側フィルタ１３側にて阻止するようになっている。これによっても出力ライン２１Ｄを高圧タンク２側へと逆流する高圧ガスの流れを阻止することができる。このように構成されている第５実施形態のシステム１Ｄは、第１実施形態のシステム１と同様の作用効果を奏する。
【００４７】
［その他の実施形態］
第１乃至第５実施形態のシステム１では、電磁ソレノイド３５によって弁体３３を駆動させる電磁弁１４が採用されているが、弁体３３を駆動させるアクチュエータは電磁ソレノイド３５に限られない。例えば、フォースモータであってもよく、また電圧を印加すると駆動力を発生する圧電アクチュエータであってもよく、弁体３３をその軸線方向に直動可能なアクチュエータであればよい。
【符号の説明】
【００４８】
１，１Ａ〜１Ｄ  システム
２  高圧タンク（タンク）
１２  充填側逆止弁
１３  出力側フィルタ（フィルタ）
１４  電磁弁（開閉弁）
１５，１５Ａ，１５Ｃ，１５Ｄ  出力側逆止弁
１６  弁装置
２０，２０Ｂ  外部接続ポート
２１，２１Ｄ  出力ライン
２２，２２Ｂ，２２Ｃ  充填ライン
２３  合流点
【図１】
2013053659.tif 000003
【図２】
2013053659.tif 000004
【図３】
2013053659.tif 000005
【図４】
2013053659.tif 000006
【図５】
2013053659.tif 000007
【図６】
2013053659.tif 000008